(57)【特許請求の範囲】
【請求項１】
一対のワイヤを繰り出しまたは巻き取りする昇降装置と、この昇降装置より垂下した前記一対のワイヤに両端部が取付けられて前記昇降装置の動作により昇降する照明器具と、前記昇降装置に設けられて前記照明器具の前記一対のワイヤ間の中間位置に一端が接続された電源コードの他端側を常時引っ張るように巻き取るばねを有する巻取装置とを備え、
前記巻取装置の巻き込み力が前記一対のワイヤと前記電源コードの繰り出し部分の重量に等しくなるように設定したことを特徴とする昇降式照明器具。
【発明の詳細な説明】
【０００１】
【産業上の利用分野】
この発明は、昇降式照明器具に関するものである。
【０００２】
【従来の技術】
第１の従来例を図３に示す。すなわち、この昇降式照明器具は、昇降装置５０と、この昇降装置５０に吊持されて昇降する照明器具５１とを備え、昇降装置５０および照明器具５１の昇降部５２の対向面に接点５３，５４を設け、照明器具５１が上昇したときに接点５３，５４が相接触して照明器具５１に電力が供給されるようにしている。
【０００３】
第２の従来例を図４に示す。すなわち、この昇降式照明器具は、ばね力昇降装置５５と、このばね力昇降装置５５に吊持されて昇降する照明器具５６とを備え、ばね力昇降装置５５のワイヤ５７にカールコード５８を巻付て照明器具５６に接続している。５９はフランジである。
第３の従来例として、例えば昇降装置と、この昇降装置に吊持されて昇降する照明器具とを備え、昇降装置に設置したコードリールから電源コードを繰り出して照明器具に接続したものがあった。
【０００４】
【発明が解決しようとする課題】
しかし、第１の従来例は、照明器具５１が下降位置では点灯できない欠点があった。
第２の従来例は、照明器具５６が下降位置で点灯できるが、照明器具５６を上昇したときにカールコード５８がたるみやすく外観が悪くなる欠点があった。
【０００５】
第３の従来例は、コードリールに電源コードの巻取りを規制するストッパがあり、電源コードの弛みをとるためにストッパを解除する必要があった。
したがって、この発明の目的は、照明器具の昇降時に常に電源コードをたるみなく張ることができ、しかもモータに加わる荷重の変動を抑制することができる昇降式照明器具を提供することである。
【０００６】
【課題を解決するための手段】
この発明の昇降式照明器具は、一対のワイヤを繰り出しまたは巻き取りする昇降装置と、この昇降装置より垂下した前記一対のワイヤに両端部が取付けられて前記昇降装置の動作により昇降する照明器具と、前記昇降装置に設けられて前記照明器具の前記一対のワイヤ間の中間位置に一端が接続された電源コードの他端側を常時引っ張るように巻き取るばねを有する巻取装置とを備え、
前記巻取装置の巻き込み力が前記一対のワイヤと前記電源コードの繰り出し部分の重量に等しくなるように設定したことを特徴とするものである。
【０００７】
【作用】
この発明の構成によれば、昇降装置の動作により照明器具が昇降する。また照明器具の昇降に応じて電源コードが巻取装置から繰り出されたり巻き取られるが、巻取装置の巻き込み力を電源コードの繰り出し部分の重量に相当する力に設定しているため、電源コードの繰り出し部分の重量が荷重としてモータに加わらず荷重の変動を抑制できるため、モータトルクが安定し照明器具の昇降速度が安定する。しかも電源コードは巻取装置により常にたるみなく張っているため、外観がよい。さらに電源コードが直線であるためカールコードと比較して掃除がしやすく、巻き上げに際して電源コードがからまない。またコード切れまたはワイヤ切れが生じても他方は切れていないため照明器具の落下の危険を防止することができる。
【０００８】
【実施例】
この発明の一実施例を図１および図２により説明する。すなわち、この昇降式照明器具は、昇降装置１と、照明器具２と、巻取装置３とを有する。
昇降装置１は、モータ（図示せず）に接続されたドラム４と、ドラム４から繰り出した一対のワイヤ５，６の方向を転換するプーリー７，８とを有する。したがって、モータの一方向の回転によりドラム４はワイヤ５，６を繰り出し、モータの他方向の回転によりドラム４はワイヤ５，６を巻取る。
【０００９】
照明器具２は、昇降装置１のワイヤ５，６に吊持されて昇降するもので、ドラム４が繰り出し回転すると照明器具２は下降し、ドラム４が巻取り回転すると照明器具２は上昇する。
巻取装置３は、昇降装置１に設けられて照明器具２に一端が接続された電源コード９の他端側を巻き取るとともに、電源コード９の繰り出された部分の重量に相当する巻き上げ力で電源コード９を常時引っ張るように巻き取っている。実施例ではぜんまいばねを用いており、その巻き込み力はワイヤ５，６を繰り出す長さに比例して大きくなり、最大に繰り出されたときに巻き込み力も最大となっている。一方、照明器具２は下降したときワイヤ５，６の繰り出された部分の重量と、電源コード９の繰り出された部分の重量が加算される。このため、巻取装置３の巻き上げ力をワイヤ５，６の重量と電源コード９の繰り出し部分の重量の和に等しくなるように設定すると、モータのモータトルクは安定となり照明器具２の昇降速度を安定化する。
【００１０】
図２は、ワイヤ５，６の繰り出しに対するモータに荷重として加わる器具重量および巻取装置の巻取り力の関係を示す。Ｑ1 は照明器具２自体の重量、Ｑ2 はワイヤ５，６の繰り出した部分の重量、電源コード９の繰り出した部分の重量および照明器具２の重量を加えた全重量であり、繰り出し量に応じて増大することがわかる。Ｑ３は巻取装置３の巻き込み力であり、図２に示すようにワイヤの繰り出し量が零でも一定の巻き込み力を有しており、電源コード９の繰り出し量に比例して巻き込み力を増加している。全重量Ｑ２と巻き込み力Ｑ３は図２のように勾配が同じ直線を示している。したがって、照明器具２の下降に伴う全重量Ｑ２が大きくなっただけ電源コード９の巻取り力も大きくなり、モータからみると重量は安定することとなる。
【００１１】
なお電源コード９の他端は電源に接続されているため、常に電力が照明器具２に供給されている。
この実施例によれば、昇降装置１の動作により照明器具２が昇降する。また照明器具２の昇降に応じて電源コード９が巻取装置３から繰り出されたり巻き取られるが、巻取装置３の巻き込み力を電源コード９の繰り出し部分の重量に相当する力に設定しているため、電源コード９の繰り出し部分の重量が荷重としてモータに加わらず荷重の変動を抑制できるため、モータトルクが安定し照明器具２の昇降速度が安定する。しかも電源コード９は巻取装置３により常にたるみなく張っているため、外観がよい。さらに電源コード９が直線であるためカールコードと比較して掃除がしやすく、巻き上げに際して電源コード９がからまない。またコード切れまたはワイヤ切れが生じても他方は切れていないため照明器具２の落下の危険を防止することができる。
【００１２】
【発明の効果】
この発明の昇降式照明器具は、昇降装置の動作により照明器具が昇降する。また照明器具の昇降に応じて電源コードが巻取装置から繰り出されたり巻き取られるが、巻取装置の巻き込み力を電源コードの繰り出し部分の重量に相当する力に設定しているため、電源コードの繰り出し部分の重量が荷重としてモータに加わらず荷重の変動を抑制できるため、モータトルクが安定し照明器具の昇降速度が安定する。しかも電源コードは巻取装置により常にたるみなく張っているため、外観がよい。さらに電源コードが直線であるためカールコードと比較して掃除がしやすく、巻き上げに際して電源コードがからまない。またコード切れまたはワイヤ切れが生じても他方は切れていないため照明器具の落下の危険を防止することができるという効果がある。
【図面の簡単な説明】
【図１】この発明の一実施例の側面図である。
【図２】ワイヤの繰り出し量に対する重量の関係図である。
【図３】第１の従来例の側面図である。
【図４】第２の従来例の側面図である。
【符号の説明】
１    昇降装置
２    照明器具
３    巻取装置
９    電源コード
【図１】
0003726288.tif 000002
【図２】
0003726288.tif 000003
【図３】
0003726288.tif 000004
【図４】
0003726288.tif 000005